(57)【要約】【課題】第１モニタ、第２モニタ、及び連結部材を含む二重モニタが開示される。【解決手段】前記第１モニタは、第１方向に向く第１スクリーンを含む。前記第２モニタは、前記第１スクリーンの向く方向と実質的に同一の方向に向く第２スクリーンを含み、前記第１スクリーンが形成されない前記第１モニタの背面に固定される。前記連結部材は、前記第１モニタと第２モニタとを連結させ、前記第２モニタを用いる場合、前記第２モニタを前記第１モニタの一角部に配置させる。それによって、互いに固定された二つのモニタを同時に用いて作業性を向上させることができ、二つのモニタを一体に固定させて安全に運搬することができるので、便宜性を図ることができる。【選択図】図１
2008203810.tif 000002
【特許請求の範囲】
【請求項１】
第１方向に向く第１スクリーンを含む第１モニタと、
前記第１スクリーンの向く方向と実質的に同一の方向に向く第２スクリーンを含み、前記第１スクリーンの形成されていない前記第１モニタの背面に固定された第２モニタと、
前記第１モニタと第２モニタとを連結させ、前記第２モニタを用いる場合、前記第２モニタを前記第１モニタの一角部に配置させる連結部材と、を含む二重モニタ。
【請求項２】
前記連結部材は、
前記第１モニタの背面に固定され、前記第２モニタに対応する厚さに形成された４側面のうち、少なくとも一側面が開口され前記第２モニタが通過するカバー部、及び前記カバー部の前記開口された側面に垂直する側面の内面に形成され、前記第２モニタをガイドするガイドラインを含むガイド固定部と、
少なくとも一端部に前記ガイドラインによってガイドされるスライダが形成され、中央部に前記第１方向に実質的に垂直する第２方向にガイド突起が形成されたガイドバーと、を含むことを特徴とする請求項１に記載の二重モニタ。
【請求項３】
前記開口された側面は前記第２方向に向い、前記ガイドラインが形成された側面は、前記第１及び第２方向に全部実質的に垂直する第３方向であることを特徴とする請求項２に記載の二重モニタ。
【請求項４】
前記連結部材は、中央部に形成され前記ガイド突起が挿入される第１連結溝、及び前記第１連結溝の反対方向に形成された第１連結突起を含む第１回転部を更に含むことを特徴とする請求項２に記載の二重モニタ。
【請求項５】
前記ガイド突起と前記第１連結溝は第１連結ピンで固定され、前記第１回転部は前記第１連結ピンを中心に回転することを特徴とする請求項４に記載の二重モニタ。
【請求項６】
前記連結部材は中央部に形成され、前記第１連結突起が挿入される第２連結溝、及び前記第２連結溝の反対方向に形成された第３連結溝を含む第２回転部を更に含むことを特徴とする請求項４に記載の二重モニタ。
【請求項７】
前記第１連結突起と前記第２連結溝は第２連結ピンで固定され、前記第２回転部は前記第２連結ピンを中心に回転することを特徴とする請求項６に記載の二重モニタ。
【請求項８】
前記第２モニタは、前記第２モニタの一側面の中央部に形成され、前記第３連結溝に挿入されるモニタ突起を有することを特徴とする請求項６に記載の二重モニタ。
【請求項９】
前記第３連結溝と前記モニタ突起は第３連結ピンで固定され、前記第２モニタは前記第３連結ピンを中心に回転することを特徴とする請求項８に記載の二重モニタ。
【請求項１０】
前記連結部材は中央部に形成され前記ガイド突起が挿入される第２連結溝、及び前記第２連結溝の反対方向に形成された第３連結溝を含む第２回転部を更に含むことを特徴とする請求項２に記載の二重モニタ。
【請求項１１】
前記ガイド突起と前記第２連結溝は第２連結ピンで固定され、前記第２回転部は前記第２連結ピンを中心に回転することを特徴とする請求項１０に記載の二重モニタ。
【請求項１２】
前記第２モニタは、前記第２モニタの一側面の中央面に形成され、前記第３連結溝に挿入されるモニタ突起を有することを特徴とする請求項１０に記載の二重モニタ。
【請求項１３】
前記第３連結溝と前記モニタ突起は第３連結ピンで固定され、前記第２モニタは前記第３連結ピンを中心に回転することを特徴とする請求項１２に記載の二重モニタ。
【請求項１４】
前記第２モニタは、前記第２モニタは前記第２スクリーンの形成されていない第２モニタの背面の角に形成され、前記第２モニタを地面に固定させる固定部材を含むことを特徴とする請求項２に記載の二重モニタ。
【請求項１５】
第１方向に向く第１スクリーンを含む第１モニタと、
前記第１スクリーンの形成されていない前記第１モニタの背面に前記第１スクリーンの向く方向と実質的に反対方向に向くように固定された第２スクリーンを含み、一側面に所定の突起が形成され前記第１モニタと実質的に同一の方向に向くように前記突起を中心に回転可能な第２モニタと、
前記第１モニタと第２モニタとを連結させ、前記第２モニタを用いる場合、前記第２モニタを前記第１モニタの一角部に配置させる連結部材と、を含む二重モニタ。
【請求項１６】
前記連結部材は、
前記第１モニタの背面に固定され、前記第２モニタに対応する厚さに形成された４側面のうち、少なくとも一側面が開口され、前記第２モニタが通過するカバー部、及び前記カバー部の前記開口された側面に垂直する側面の内面に形成され、前記第２モニタをガイドするガイドラインを含むガイド固定部と、
少なくとも一端部に前記ガイドラインによってガイドされるスライダが形成され、中央部に前記第１方向に実質的に垂直する第２方向にガイド突起が形成されたガイドバーと、を含むことを特徴とする請求項１５に記載の二重モニタ。
【請求項１７】
第１方向に向く第１スクリーン、及び前記第１スクリーンの形成されていない背面の角の中央部に前記第１方向と実質的に反対方向に形成された背面突起を含む第１モニタと、
前記第１スクリーンの向く方向と実質的に同一の方向に向く第２スクリーンを含み、前記第１スクリーンの形成されていない前記第１モニタの背面に固定された第２モニタと、
前記第１モニタと第２モニタとを連結させ、前記第２モニタを用いる場合、前記第２モニタを前記第１モニタの一角部に配置させる連結部材と、を含む二重モニタ。
【請求項１８】
前記連結部材は、中央部に形成され前記背面突起が挿入される第１連結溝、及び前記第１連結溝と垂直する方向に形成された第１連結突起を含む第１回転部を含むことを特徴とする請求項１７に記載の二重モニタ。
【請求項１９】
前記第１回転部は、前記背面突起を中心に回転することを特徴とする請求項１８に記載の二重モニタ。
【請求項２０】
前記連結部材は中央部に形成され、前記第１連結突起が挿入される第２連結溝、及び前記第２連結溝の反対方向に形成された第３連結溝を含む第２回転部を更に含むことを特徴とする請求項１８に記載の二重モニタ。
【請求項２１】
前記第１連結突起と前記第２連結溝は第１連結ピンで固定され、前記第２回転部は第１連結ピンを中心に回転することを特徴とする請求項２０に記載の二重モニタ。
【請求項２２】
前記第２モニタは、前記第２モニタの一側面の中央部に形成され、前記第３連結溝に挿入されるモニタ突起を有することを特徴とする請求項２０に記載の二重モニタ。
【請求項２３】
前記第３連結溝と前記モニタ突起は第２連結ピンで固定され、前記第２モニタは前記第２連結ピンを中心に回転することを特徴とする請求項２２に記載の二重モニタ。
【請求項２４】
前記第２モニタは、前記第２スクリーンの形成されていない第２モニタの背面の角に形成され、前記第２モニタを地面に固定させる固定部材を含むことを特徴とする請求項１７に記載の二重モニタ。
【請求項２５】
第１方向に向く第１スクリーン、及び前記第１スクリーンの形成されていない背面の角の中央部に前記第１方向と実質的に反対方向に形成された背面突起を含む第１モニタと、
前記第１スクリーンの形成されていない前記第１モニタの背面に前記第１スクリーンの向く方向と実質的に反対方向に向くように固定された第２スクリーンを含み、一側面に所定の突起が形成され前記第１モニタと実質的に同一の方向に向くように前記突起を中心に回転可能な第２モニタと、
前記第１モニタと第２モニタとを連結させ、前記第２モニタを用いる場合、前記第２モニタを前記第１モニタの一角部に配置させる連結部材と、を含む二重モニタ。
【請求項２６】
前記連結部材は、中央部に形成され前記背面突起が挿入される第１連結溝、及び前記第１連結溝と垂直する方向に形成された第１連結突起を含む第１回転部を含み、前記第１回転部は前記背面突起を中心に回転することを特徴とする請求項２５に記載の二重モニタ。
【請求項２７】
前記連結部材は、中央部に形成され前記第１連結突起が挿入される第２連結溝、及び前記第２連結溝の反対方向に形成された第３連結溝を含む第２回転部を更に含み、前記第１連結突起と前記第２連結溝は第１連結ピンで固定され、前記第２回転部は前記第１連結ピンを中心に回転することを特徴とする請求項２６に記載の二重モニタ。
【請求項２８】
第１方向に向く第１スクリーン、及び一側面の中央部に前記第１方向と実質的に垂直する方向に形成された側面突起を含む第１モニタと、
前記第１スクリーンの向く方向と実質的に同一の方向に向く第２スクリーンを含み、前記第１スクリーンの形成されていない前記第１モニタの背面に固定された第２モニタと、  前記第１モニタと第２モニタとを連結させ、前記第２モニタを用いる場合、前記第２モニタを前記第１モニタの一角部に配置させる連結部材と、を含む二重モニタ。
【請求項２９】
前記連結部材は中央部に形成され、前記側面突起が挿入される第１連結溝、及び前記第１連結溝の反対方向に形成された第１連結突起を含む第１回転部を含むことを特徴とする請求項２８に記載の二重モニタ。
【請求項３０】
前記側面突起と前記第１連結溝は、第１連結ピンで固定され、前記第１回転部は前記第１連結ピンを中心に回転することを特徴とする請求項２９に記載の二重モニタ。
【請求項３１】
前記連結部材は、中央部に形成されて前記第１連結突起が挿入される第２連結溝、及び前記第２連結溝の反対方向に形成された第３連結溝を含む第２回転部を更に含むことを特徴とする請求項２９に記載の二重モニタ。
【請求項３２】
前記第１連結突起と前記第２連結溝は第２連結ピンで固定され、前記第２回転部は前記第２連結ピンを中心に回転することを特徴とする請求項３１に記載の二重モニタ。
【請求項３３】
前記第２モニタは、前記第２モニタの一側面の中央部に形成され前記第３連結溝に挿入されるモニタ突起を有することを特徴とする請求項３１に記載の二重モニタ。
【請求項３４】
前記第３連結溝と前記モニタ突起は第３連結ピンで固定され、前記第２モニタは前記第３連結ピンを中心に回転することを特徴とする請求項３３に記載の二重モニタ。
【請求項３５】
前記第２モニタは、前記第２スクリーンの形成されていない第２モニタの背面の角に形成され、前記第２モニタを地面に固定させる固定部材を含むことを特徴とする請求項２８に記載の二重モニタ。
【請求項３６】
第１方向に向く第１スクリーン、及び一側面の中央部に前記第１方向と実質的に垂直する方向に形成された側面突起を含む第１モニタと、
前記第１スクリーンの形成されていない前記第１モニタの背面に前記第１スクリーンの向く方向と実質的に反対方向に向くように固定された第２スクリーンを含み、一側面に所定突起が形成され前記第１モニタと実質的に同一の方向に向くように前記突起を中心に回転可能な第２モニタと、
前記第１モニタと前記第２モニタとを連結させ、前記第２モニタを用いる場合、前記第２モニタを前記第１モニタの一角部に配置させる連結部材と、を含む二重モニタ。
【請求項３７】
前記連結部材は、中央部に形成され前記側面突起が挿入される第１連結溝、及び前記第１連結溝の反対方向に形成された第１連結突起を含む第１回転部を含み、前記側面突起と前記第１連結溝は第１連結ピンで固定され、前記第１回転部は前記第１連結ピンを中心に回転することを特徴とする請求項３６に記載の二重モニタ。
【請求項３８】
前記連結部材は、中央部に形成され、前記第１連結突起が挿入される第２連結溝、及び前記第２連結溝の反対方向に形成された第３連結溝を含む第２回転部を更に含み、前記第１連結突起と前記第２連結溝は第２連結ピンで固定され、前記第２回転部は前記第２連結ピンを中心に回転することを特徴とする請求項３７に記載の二重モニタ。
【発明の詳細な説明】
【技術分野】
【０００１】
本発明は二重モニタに係わり、より詳細には同時に用いることができ、同時に安全に運搬することができる二重モニタに関する。
【背景技術】
【０００２】
最近、表示装置の製造技術が発展することに応じて、モニタに用いられる表示パネルの厚さは薄くなり、重さは減少し、モニタの体積もまた減少しつつある。その結果、多くの事務室におけるコンピュータ作業の効率性を向上させるために、一つのコンピュータに二つ以上のモニタを連結して用いる。
【０００３】
しかし、二つ以上のモニタを一つのコンピュータに連結して用いる場合、コンピュータを移動させるかあるいはノートブックのような移動型コンピュータを用いるとき、二つ以上のモニタを同時に運搬することは困難である。更に、移動中にコンピュータ作業をする場合、二つ以上のモニタを設置し作業することはほぼ不可能になる。
したがって、コンピュータを移動しかつ作業しなければならない場合、または移動中に作業しなければならない場合、作業の効率性が減少するようになる。
【０００４】
このような問題点を解決するために、二つのモニタを相互結合させたモニタが開発された。即ち、モニタの側部に連結リングを装着し、移動中には二つのモニタを折り畳み形態に折り、使用中には二つのモニタを開く構造が開発された。しかし、前記折り畳み形態で二つのモニタを結合した構造させた構造では、二つのモニタのスクリーンが相互反対方向に向くようになる。したがって、ノートブックのような移動性コンピュータの場合、移動時にモニタが外部に露出され、スクリーンを保護するのに問題が発生する。
【発明の開示】
【発明が解決しようとする課題】
【０００５】
したがって、本発明の技術的な課題は、このような従来の問題点を解決するためのものであって、本発明の目的は、二つ以上のモニタを多様に結合した二重モニタを提供することにある。
【課題を解決するための手段】
【０００６】
本発明の第１実施例による二重モニタは第１モニタ、第２モニタ、及び連結部材を含む。前記第１モニタは、第１方向に向く第１スクリーンを含む。前記第２モニタは、前記第１スクリーンの向く方向と実質的に同一の方向に向く第２スクリーンを含み、前記第１スクリーンの形成されない前記第１モニタの背面に固定される。前記連結部材は、前記第１モニタと第２モニタとを連結させ、前記第２モニタを用いる場合、前記第２モニタを前記第１モニタの一角部に配置させる連結部材と、を含む。
【０００７】
前記連結部材は、ガイド固定部及びガイドバーを含む。前記ガイド固定部は、カバー部及びガイドラインを含む。前記カバー部は、前記第１モニタの背面に固定され、前記第２モニタに対応する厚さに形成された４側面のうち、少なくとも一側面が開口され前記第２モニタが通過される。前記ガイドラインは、前記カバー部の前記開口された側面に垂直する側面の内面に形成され、前記第２モニタをガイドする。前記ガイドバーは、少なくとも一端部に前記ガイドラインによってガイドされるスライダが形成され、中央部に前記第１方向に実質的に垂直する第２方向にガイド突起が形成される。
【０００８】
前記開口された側面は前記第２方向に向かい、前記ガイドラインが形成された側面は、前記第１及び第２方向に全部実質的に垂直する第３方向であってもよい。
前記連結部材は、中央部に形成され前記ガイド突起が挿入される第１連結溝、及び前記第１連結溝の反対方向に形成された第２連結突起を含む第１回転部を更に含んでもよい。前記ガイド突起と前記第１連結溝は第１連結ピンで固定され、前記第１回転部は前記第１連結ピンを中心に回転する。
【０００９】
前記連結部材は中央部に形成され、前記第１連結突起が挿入される第２連結溝、及び前記第２連結溝の反対方向に形成された第３連結溝を含む第２回転部を更に含んでもよい。前記第１連結突起と前記第２連結溝は第２連結ピンで固定され、前記第２回転部は前記第２連結ピンを中心に回転する。
【００１０】
前記第２モニタは、前記第２モニタの一側面の中央部に形成され、前記第３連結溝に挿入されるモニタ突起を有する。前記第３連結溝と前記モニタ突起は第３連結ピンで固定され、前記第２モニタは前記第３連結ピンを中心に回転する。
【００１１】
前記連結部材は中央部に形成され前記ガイド突起が挿入される第１連結溝、及び前記第１連結溝の反対方向に形成された第２連結溝を含む第１回転部を更に含んでもよい。前記ガイド突起と前記第１連結溝は第１連結ピンで固定され、前記第１回転部は前記第１連結ピンを中心に回転する。
【００１２】
前記第２モニタは、前記第２モニタの一側面の中央面に形成され、前記第２連結溝に挿入されるモニタ突起を有する。前記第２連結溝と前記モニタ突起は、第２連結ピンで固定され、前記第２モニタは前記第２連結ピンを中心に回転する。
【００１３】
前記第２モニタは、前記第２スクリーンの形成されていない第２モニタの背面の角に形成され、前記第２モニタを地面に固定させる固定部材を含んでもよい。
【００１４】
これとは違って、本発明の第１実施例による二重モニタは、第１方向に向く第１スクリーンを含む第１モニタと、前記第１スクリーンの形成されていない前記第１モニタの背面に前記第１スクリーンの向く方向と実質的に反対方向に向くように固定された第２スクリーンを含み、一側面に所定の突起が形成され前記第１モニタと実質的に同一の方向に向くように前記突起を中心に回転可能な第２モニタと、
前記第１モニタと第２モニタとを連結させ、前記第２モニタを用いる場合、前記第２モニタを前記第１モニタの一角部に配置させる連結部材と、を含んでよい。
【００１５】
前記連結部材は、前記第１モニタの背面に固定され、前記第２モニタに対応する厚さに形成された４側面のうち、少なくとも一側面が開口され、前記第２モニタが通過するカバー部、及び前記カバー部の前記開口された側面に垂直する側面の内面に形成され、前記第２モニタをガイドするガイドラインを含むガイド固定部と、少なくとも一端部に前記ガイドラインによってガイドされるスライダが形成され、中央部に前記第１方向に実質的に垂直する第２方向にガイド突起が形成されたガイドバーと、を含んでもよい。
【００１６】
本発明の第２実施例による二重モニタは、第１モニタ、第２モニタ、及び連結部材を含む。前記第１モニタは、第１方向に向く第１スクリーン、及び前記第１スクリーンの形成されていない背面の角の中央部に前記第１方向と実質的に反対方向に形成された背面突起を含む。前記第２モニタは、前記第１スクリーンの向く方向と実質的に同一の方向に向く第２スクリーンを含み、前記第１スクリーンの形成されていない前記第１モニタの背面に固定される。前記連結部材は、前記第１モニタと第２モニタとを連結させ、前記第２モニタを用いる場合、前記第２モニタを前記第１モニタの一角部に配置させる。
【００１７】
前記連結部材は、中央部に形成され前記背面突起が挿入される第１連結溝、及び前記第１連結溝と垂直する方向に形成された第１連結突起を含む第１回転部を含んでもよい。前記第１回転部は、前記背面突起を中心に回転する。
【００１８】
前記連結部材は中央部に形成され、前記第１連結突起が挿入される第２連結溝、及び前記第２連結溝の反対方向に形成された第３連結溝を含む第２回転部を更に含んでもよい。前記第１連結突起と前記第２連結溝は第１連結ピンで固定され、前記第２回転部は第１連結ピンを中心に回転する。
【００１９】
前記第２モニタは、前記第２モニタの一側面の中央部に形成され、前記第３連結溝に挿入されるモニタ突起を有する。前記第３連結溝と前記モニタ突起は第２連結ピンで固定され、前記第２モニタは前記第２連結ピンを中心に回転する。
【００２０】
前記第２モニタは、前記第２スクリーンの形成されていない第２モニタの背面の角に形成され、前記第２モニタを地面に固定させる固定部材を含む。
これとは違って、本発明の第２実施例による二重モニタは、第１方向に向く第１スクリーン、及び前記第１スクリーンの形成されていない背面の角の中央部に前記第１方向と実質的に反対方向に形成された背面突起を含む第１モニタと、前記第１スクリーンの形成されていない前記第１モニタの背面に前記第１スクリーンの向く方向と実質的に反対の方向に向くように固定された第２スクリーンを含み、一側面に所定の突起が形成され前記第１モニタと実質的に同一の方向に向くように前記突起を中心に回転可能な第２モニタと、  前記第１モニタと第２モニタとを連結させ、前記第２モニタを用いる場合、前記第２モニタを前記第１モニタの一角部に配置させる連結部材と、を含んでもよい。
【００２１】
前記連結部材は、中央部に形成され前記背面突起が挿入される第１連結溝、及び前記第１連結溝と垂直する方向に形成された第１連結突起を含む第１回転部を含み、前記第１回転部は前記背面突起を中心に回転する。
【００２２】
なお、前記連結部材は、中央部に形成され前記第１連結突起が挿入される第２連結溝、及び前記第２連結溝の反対方向に形成された第３連結溝を含む第２回転部を更に含み、前記第１連結突起と前記第２連結溝は第１連結ピンで固定され、前記第２回転部は前記第１連結ピンを中心に回転してもよい。
【００２３】
本発明の第３実施例による二重モニタは、第１モニタ、第２モニタ、及び連結部材を含む。前記第１モニタは、第１方向に向く第１スクリーン、及び一側面の中央部に前記第１方向と実質的に垂直する方向に形成された側面突起を含む。前記第２モニタは、前記第１スクリーンの向く方向と実質的に同一の方向に向く第２スクリーンを含み、前記第１スクリーンの形成されていない前記第１モニタの背面に固定される。前記連結部材は、前記第１モニタと第２モニタとを連結させ、前記第２モニタを用いる場合、前記第２モニタを前記第１モニタの一角部に配置させる。
【００２４】
前記連結部材は、中央部に形成され、前記側面突起が挿入される第１連結溝、及び前記第１連結溝の反対方向に形成された第１連結突起を含む第１回転部を含んでもよい。前記側面突起と前記第１連結溝は、第１連結ピンで固定され、前記第１回転部は前記第１連結ピンを中心に回転する。
【００２５】
前記連結部材は、中央部に形成され、前記第１連結突起が挿入される第２連結溝、及び前記第２連結溝の反対方向に形成された第３連結溝を含む第２回転部を更に含んでもよい。前記第１連結突起と前記第２連結溝は第２連結ピンで固定され、前記第２回転部は前記第２連結ピンを中心に回転する。
【００２６】
前記第２モニタは、前記第２モニタの一側面の中央部に形成され前記第３連結溝に挿入されるモニタ突起を有する。前記第３連結溝と前記モニタ突起は第３連結ピンで固定され、前記第２モニタは前記第３連結ピンを中心に回転する。
【００２７】
前記第２モニタは、前記第２スクリーンの形成されていない第２モニタの背面の角に形成され、前記第２モニタを地面に固定させる固定部材を含む。
これとは違って、本発明の第３実施例による二重モニタは、第１方向に向く第１スクリーン、及び一側面の中央部に前記第１方向と実質的に垂直する方向に形成された側面突起を含む第１モニタと、  前記第１スクリーンの形成されていない前記第１モニタの背面に前記第１スクリーンの向く方向と実質的に反対方向に向くように固定された第２スクリーンを含み、一側面に所定突起が形成され前記第１モニタと実質的に同一の方向に向くように前記突起を中心に回転可能な第２モニタと、前記第１モニタと第２モニタとを連結させ、前記第２モニタを用いる場合、前記第２モニタを前記第１モニタの一角部に配置させる連結部材と、を含んでもよい。
【００２８】
前記連結部材は、中央部に形成され前記側面突起が挿入される第１連結溝、及び前記第１連結溝の反対方向に形成された第１連結突起を含む第１回転部を含み、前記側面突起と前記第１連結溝は第１連結ピンで固定され、前記第１回転部は前記第１連結ピンを中心に回転してもよい。
【００２９】
なお、前記連結部材は、中央部に形成され、前記第１連結突起が挿入される第２連結溝、及び前記第２連結溝の反対方向に形成された第３連結溝を含む第２回転部を更に含み、前記第１連結突起と前記第２連結溝は第２連結ピンで固定され、前記第２回転部は前記第２連結ピンを中心に回転してもよい。
【発明の効果】
【００３０】
前記の本発明によると、前記第２モニタを用いない場合、前記第１スクリーンと第２スクリーンを同一の方向に重なるように配置させ、別途の保護部材なしに前記第２スクリーンを保護することができる。
【００３１】
また、前記第２モニタを用いる場合、前記第２モニタを前記第１モニタの一角部に容易に配置させることができるので、作業の効率性を増加させることができる。
なお、前記第２モニタを支持することができる固定部材が形成され、前記第１モニタと第２モニタとの間の連結部材の撓いや損傷を防止することができる。
【発明を実施するための最良の形態】
【００３２】
以下、添付する図面を参照して、本発明の望ましい実施例をより詳細に説明する。
図１は、本発明の第１実施例による二重モニタを示す拡大斜視図である。図２は、図１のＩ−Ｉ’に沿って見た断面図である。
図１及び図２を参照すると、本実施例による二重モニタ１００は、第１モニタ１１１、第２モニタ１２０、及び連結部材１３０を含む。
【００３３】
図１に示したように、前記二重モニタ１００がノートブックに用いられると、前記二重モニタ１００は前記第１モニタ１１１と連結された本体部１１４を更に含むことができる。前記本体部１１４はキーボードが配列された文字盤部１１５、手を支持することができる支持部１１６、及びマウスパッドが配列されたパッド部１１７を含む。前記本体部１１４の上部は前記第１モニタ１１１の下部と連結され、前記第１モニタ１１１は、前記本体部１１４の上部を中心に前記本体部１１４と折ることができる。これとは違って、前記二重モニタ１００がデスクトップに用いられると、前記二重モニタ１００は、前記第１モニタ１１１と連結された支持部（図示せず）を更に含むことができる。
【００３４】
前記第１モニタ１１１は、画像を表示する第１スクリーン１１２及び前記第１スクリーンの側面及び背面を囲む第１モールドフレーム１１３を含む。本実施例では、前記第１モニタ１１１は地面に実質的に垂直に固定された状態を例に挙げて説明する。前記第１スクリーン１１２が画像を表示する方向を第１方向（Ｘ）に定義し、前記第１方向（Ｘ）に実質的に垂直する方向を第２方向（Ｙ）、前記第１方向（Ｘ）及び第２方向（Ｙ）に同時に実質的に垂直する方向を第３方向（Ｚ）と定義する。
【００３５】
示していないが、前記第１モニタ１１１は地面に向く側面に連結された端子（図示せず）を通じて画像情報及び制御情報の提供を受けることができる。
前記第２モニタ１２０は、第２スクリーン１２１、第２モールドフレーム１２２、モニタ突起１２３及び固定部材１２５を含む。前記第２スクリーン１２１は、前記第１スクリーン１１２と同一の画像または異なる画像を表示することができ、前記第１スクリーン１１２が向く方向と実質的に同一の方向に向くように固定される。即ち、前記第１スクリーン１１２が前記第１方向（Ｘ）に向くように固定されると、前記第２スクリーン１２１も前記第１方向（Ｘ）に向くように固定される。ただし、前記二つのモニタを全て用いる場合、使用者の便宜に応じて、前記第１スクリーン１１２の方向と前記第２スクリーン１２１の方向を若干変更することもできる。
【００３６】
前記第２モールドフレーム１２２は、前記第２スクリーンの側面及び背面を囲み前記第２モニタ１２０を保護する。
前記モニタ突起１２３は、前記第２モニタの四つの側面のうち、正の第３方向（＋Ｚ）に向く側面を除いた全ての側面に形成することができる。前記モニタ突起１２３が正の第２方向（＋Ｙ）または負の第２方向（−Ｙ）の側面に形成されると、前記第２モニタ１２０は前記第２方向（Ｙ）にスライドする。一方、前記モニタ突起１２３が負の第３方向（−Ｚ）の側面に形成されると、前記第２モニタ１２０は前記第３方向（Ｚ）にスライドする。
【００３７】
前記モニタ突起１２３は、各側面の中央部に形成することが望ましく、前記第２モールドフレーム１２２と一体に形成することができる。これとは違って、前記第２モールドフレーム１２２とは別途に形成された後、前記第２モールドフレーム１２２に結合することができる。
【００３８】
前記固定部材１２５は、前記第２スクリーン１２１の形成されていない前記第２モールドフレーム１２２の側面の角に形成される。具体的に、前記モニタ突起１２３が負の第２方向（−Ｙ）の側面に形成されると、前記固定部材１２５は正の第２方向（＋Ｙ）の側面の角に形成される。これとは違って、前記モニタ突起１２３が正の第２方向（＋Ｙ）の側面に形成されると、前記固定部材１２５は負の第２方向（−Ｙ）の側面の角に形成される。一方、前記モニタ突起１２３が負の第３方向（−Ｚ）の側面に形成されると、前記固定部材１２５は形成しなくてもよい。
【００３９】
前記第２モニタ１２０を用いない場合、前記固定部材１２５は固定部材カバー部１２４に挿入されて固定される。しかし、前記第２モニタ１２０を用いる場合、前記固定部材１２５は前記固定部材カバー部１２４から地面に接するように所定長さに突出され、前記第２モニタ１２０を地面に固定させる。前記固定部材１２５は多様な形状を有することができ、示していないが、前記固定部材１２５の端部を拡張して形成して地面との接触面積を増加させることができる。
【００４０】
一方、前記第２モニタ１２０が後述する第３連結ピン１６５を中心に回転する場合、前記第２モニタ１２０をより安定的に地面に固定するために、前記固定カバー部１２４及び前記固定部材１２５は回転軸１２６を中心に回転可能に固定される。即ち、前記第２モニタ１２０が所定の角度だけ回転する場合でも、前記固定カバー部１２４及び前記固定部材１２５を前記回転軸１２６を中心に回転し、いつも地面に垂直する方向に向くように位置して、前記第２モニタ１２０をより安定的に固定するようになる。
【００４１】
前記第２モニタ１２０は、一側面に前記第１モニタ１１１とデータを伝送するためのモニタ連結端子１２７及び電源の供給を受けるための電源供給端子１２８を更に含むことができる。
【００４２】
本実施例で前記連結部材１３０は、ガイド固定部１７０及びガイドバー１４０を含む。前記連結部材１３０は第１回転部１５０及び第２回転部１６０を更に含むことができる。
【００４３】
前記ガイド固定部１７０は、カバー部（１７１、１７２、１７３、１７４、１７５、１７９）及びガイドライン１７７を含む。具体的に、前記カバー部は、前記第１モニタ１１１の背面に接触する前面カバー部１７１、前記前面カバー部に向い合う後面カバー部１７９、及び前記前面カバー部１７１及び前記後面カバー部１７９から延長され、所定の収納空間を形成する側面カバー部（１７２、１７３、１７４、１７５）を含む。前記カバー部は前記第１モニタ１１１の背面に固定される。
【００４４】
前記側面カバー部（１７２、１７３、１７４、１７５）のうち、少なくとも一側面カバー部は開口され、前記第２モニタ１２０が前記開口部を通じて通過する。例えば、図１に示したように、正の第２方向（＋Ｙ）のカバー部１７５が開口されるように形成されると、前記第２モニタ１２０は前記開口部を通じて、前記第１モニタ１１１の一角部に移動することができる。これとは違って、正の第３方向（＋Ｚ）のカバー部１７４または負の第２方向（−Ｙ）のカバー部１７２が開口するように形成することができ、前記第２モニタ１２０は前記開口部を通じて、前記第１モニタ１１１の一角部に移動することができる。あるいは、二つ以上の側面カバー部が開口されるように形成され、前記第２モニタ１２０が前記第１モニタ１１１の二つ以上の角部に移動することもできる。
【００４５】
この場合、前記開口部が形成された側面カバー部は、所定の高さだけ突出するように形成される。それによって、後述するスライダ１４２が前記突出部に固定されガイド固定部１７０の外に出ないようにする。一方、前記開口部が形成された側面カバー部は、前記突出部の他に前記スライダ１４２を固定させることができる別途の固定部材を更に含むことができる。
【００４６】
前記ガイドライン１７７は、前記開口された側面に垂直する少なくとも一側面の内面に形成される。具体的に、図１に示したように、前記ガイドライン１７７は開口された側面カバー部１７５と垂直する側面カバー部１７４、１７３のうち、少なくとも一側面カバー部の内面に形成される。これとは違って、正の第３方向（＋Ｚ）の側面カバー部１７４が開口される場合、前記ガイドライン１７７は、前記側面カバー部１７４に垂直する側面カバー部（１７２、１７５）のうち、少なくとも一側面カバー部の内面に形成することができる。
【００４７】
前記ガイドライン１７７は、前記スライダ１４２が所定の方向にスライドできるように側面カバー部の内面から所定高さに突出して形成される。複数個のガイドライン１７７が向い合う側面カバー部に同時に形成される場合、前記スライド（１４２、１４３）を一定にガイドするために実質的に平行に形成しなければならない。前記ガイドライン１７７は、前記スライダ１４２の個数によって複数個を形成することができる。例えば、前記スライダ１４２の輪がｎ個であると、前記ガイドライン１７７はｎ−１個を形成することが望ましい。
【００４８】
前記ガイドバー１４０はシリンダー形状だけでなく、多角形の形状を有することができ、前記向い合う側面カバー部１７４、１７５の間の距離に対応する高さを有する。前記ガイドバー１４０は少なくとも一端部にスライダ（１４２、１４３）が固定される。前記スライダ（１４２、１４３）は、例えば、複数個の輪で形成することができる。前記複数個の輪は、前記ガイドライン１７７によってガイドされるように所定間隔に離隔され連結される。これとは違って、前記スライダ（１４２、１４３）は、前記第２モニタ１２０が容易に動きうるように摩擦の小さい部材で形成することができる。
【００４９】
前記ガイドバー１４０の中央部には開口された側面カバー部の方向に所定のガイド突起１４４が形成される。例えば、図１に示したように、正の第２方向（＋Ｙ）の側面カバー部１７５が開口されると、前記ガイド突起１４４も正の第２方向（＋Ｙ）に突出して形成される。
【００５０】
一方、前記ガイド突起１４４は、前記第１回転部１５０が回転しうるように、シリンダーの形状を有することが望ましい。前記ガイド突起１４４の中央には溝１４５が形成され、後述する第１回転部１５０の第１連結溝１５２と連結される。それによって、前記ガイドバー１４０と前記第１回転部１５０とが互いに固定される。
【００５１】
前記第１回転部１５０は、シリンダー形状を有し、中央部に第１連結溝１５２と第１連結突起１５５が形成される。前記第１連結溝１５２は前記ガイド突起１４４が挿入されるように前記ガイド突起１４４の突出部に対応する形状を有する。即ち、前記ガイド突起１４４が凸なシリンダー形状を有するように、前記第１連結溝１５２は凹んだシリンダー形状を有することが望ましい。
【００５２】
一方、前記第１連結溝１５２の中央部にも溝１５３が形成され、前記第１連結溝に形成された溝１５３の中心は前記ガイド突起１４４の中央に形成された溝１４５の中心と一致する。前記第１連結溝１５２に形成された溝１５３と前記ガイド突起１４４に形成された溝１４５とは第１連結ピン１５１を通じて結合される。前記第１連結ピン１５１は前記溝（１５３、１４５）と無理に挟み合わせて結合され、前記第１回転部１５０は所定の角だけ回転した後、所定の位置に固定することができる。
【００５３】
結局、シリンダー形状を有する前記ガイド突起１４４と前記ガイド突起１４４の形状に対応してシリンダー形状を有する前記第１連結溝１５２は実質的に同一の回転中心を有し、前記第１連結ピン１５１を通じて固定され、前記ガイド突起１４４と前記第１連結溝１５２は一つの回転中心に相対的に回転しうるようになる。
【００５４】
一方、前記第１連結突起１５４は、前記第１連結溝１５２の形成された反対方向に突出して形成される。例えば、図１に示したように、正の第２方向（＋Ｙ）の側面カバー部１７５が開口され、前記ガイド突起１４４も正の第２方向（＋Ｙ）に突出して形成されると、前記第１連結突起１５４も正の第２方向（＋Ｙ）に突出され形成される。
【００５５】
前記第１連結突起１５４は、前記第２回転部１６０が回転するように、シリンダー形状を有することが望ましい。前記第１連結突起１５４の中央には溝１５５が形成され、後述する第２回転部１６０の第２連結溝１６２と連結される。それによって、前記第１回転部１５０と前記第２回転部１６０とが互いに固定される。
【００５６】
前記第２回転部１６０は、シリンダー形状を有し、中央部に第２連結溝１６２と第３連結溝１６４が形成される。前記第２連結溝１６２は前記第１連結突起１５４が挿入されるように前記第１連結突起１５４の突出部に対応する形状を有する。即ち、前記第１連結突起１５４が凸なシリンダー形状を有するように、前記第２連結溝１６２は凹んだシリンダー形状を有することが望ましい。
【００５７】
一方、前記第２連結溝１６２の中央部にも溝１６３が形成され、前記第２連結溝に形成された溝１６３の中心は前記第１連結突起１５４の中央に形成された溝１５５の中心と一致する。前記第２連結溝１６２に形成された溝１６３と前記第１連結突起１５４に形成された溝１５５は第２連結ピン１６１を通じて結合される。前記第２連結ピン１６１は、前記溝（１６３、１５５）と無理に挟み合わせて結合され、前記第２回転部１６０は所定の角だけ回転した後、所定の位置に固定される。
【００５８】
結局、シリンダー形状を有する前記第１連結突起１５４と前記第１連結突起１５４の形状に対応してシリンダー形状を有する前記第２連結溝１６２は実質的に同一の回転中心を有し、前記第２連結ピン１６１を通じて固定され、前記第１連結突起１５４と前記第２連結溝１６２は一つの回転中心に相対的に回転しうるようになる。
【００５９】
前記第３連結溝１６４は、前記第２連結溝１６２の形成された反対方向に突出されて形成される。例えば、図１に示したように、正の第２方向（＋Ｙ）の側面カバー部１７５が開口され、前記ガイド突起１４４も正の第２方向（＋Ｙ）に突出され、前記第１連結突起１５４も正の第２方向（＋Ｙ）に突出されて形成されると、前記第３連結溝１６４も正の第２方向（＋Ｙ）に形成される。
【００６０】
前記第２モニタ１２０の一側面の中央部に形成されたモニタ突起１２３は前記第３連結溝１６４に挿入され、前記第２回転部１６０と前記第２モニタ１２０が相互固定され、相対的に回転する。即ち、前記第２回転部１６０と前記第２モニタ１２０が相対的に回転する回転中心は前記第１回転部１５０及び前記第２回転部１６０が回転する回転中心と実質的に垂直する。例えば、前記モニタ突起１２３が負の第２方向（−Ｙ）に突出されて形成されると、前記第２モニタ１２０と前記第２回転部１６０は負の第２方向（−Ｙ）を中心に相対的に回転する。
【００６１】
一方、前記モニタ突起１２３と前記第３連結溝１６４との結合力増加させるために、第３連結ピン１６５が前記モニタ突起１２３と前記第３連結溝１６４との間に用いることができる。前記ガイド突起１４４と第１連結溝１５２の結合、及び前記第１連結突起１５４と第２連結溝１６２の結合と同様に、前記第３連結溝１６４と前記モニタ突起１２３も無理に挟み合わせて結合され、前記第２モニタ１２０は所定の角だけ回転した後、所定の位置に固定することができる。したがって、使用者は前記第２スクリーン１２１の視野角を調節することができるようになる。
【００６２】
図３は、図１の二重モニタの一実施例による連結部材の動作を示した平面図である。
図３を参照すると、前記第２モニタ１２０を用いない場合、前記第２モニタ１２０は前記ガイド固定部１７０のカバー部の内部に配置され、固定される。
前記第２モニタ１２０を用いる場合、第２モニタ１２０の固定方法は下記のようである。
【００６３】
まず、前記第２モニタ１２０は、正の第２方向（＋Ｙ）に移動して前記第１モニタ１１１の一角部に配置される。この場合、前記ガイドバー１４０は前記ガイドライン１７７に沿って移動し、前記ガイド固定部１７０の正の第２方向（＋Ｙ）の端に固定される。前記ガイド固定部１７０、前記第１回転部１５０、前記第２回転部１６０、及び前記第２モニタ１２０は、前記第２方向（Ｙ）に沿って、一直線に配列される。この場合、前記第２モニタ１２０は前記第１モニタ１１１と一直線に配列されないので、使用者が二つの視野角の差を大きく認識するようになる。
【００６４】
その後、前記第１回転部１５０を前記第１連結ピン１５１を中心に、即ち、正の第３方向（＋Ｚ）を中心に時計方向に約９０°回転させる。そうすると、前記第２モニタ１２０は、前記第１モニタ１１１と約９０°の角度をなして配置される（Ａ位置）。その後、前記第２回転部１６０を前記第２連結ピン１６１を中心に、即ち、正の第３方向（＋Ｚ）を中心に反時計方向に約９０°回転させる。そうすると、前記第２モニタ１２０は前記第１モニタ１１１と一列に配置される（Ｃ位置）。その後、前記第２回転部１６０を前記第２連結ピン１６１を中心に所定の角度を回転させ、最適の視野角の範囲を有するように前記第２モニタ１２０を配置する（Ｂ位置）。
【００６５】
これとは違って、前記第２回転部１６０を先に回転させた後、前記第１回転部１５０を回転させて最適の視野角の範囲を有する位置に前記第２モニタ１２０を配置することができる。なお、前記第１及び第２回転部（１５０、１６０）を同時に回転させることもできる。
一方、示していないが、前記第２モニタ１２０は負の第２方向（−Ｙ）または正の第３方向（＋Ｚ）に突出され前記のように動作することができる。
【００６６】
図４は、本発明の第１実施例による二重モニタの他の実施例による連結部材の動作を示した平面図である。
図４を参照すると、本実施例では前記連結部材１３０がガイド固定部１７０、ガイドバー１４０、及び第２回転部１６０を含み、前記第１回転部１５０は含まない。したがって、前記ガイド突起１４４は前記第２回転部１６０の第２連結溝１６２に前記第２連結ピン１６１を通じて結合される。また、前記第２回転部１６０の第３連結溝１６２に前記モニタ突起１２３が挿入される。前記結合関係に関する具体的な説明は図１を参照して説明したので、省略する。
【００６７】
本実施例でも、前記第２モニタ１２０を用いない場合、前記第２モニタ１２０は前記ガイド固定部１７０のカバー部の内部に配置されて固定される。
前記第２モニタ１２０を用いる場合、第２モニタ１２０の固定方法は下記のようである。
【００６８】
まず、前記第２モニタ１２０は、正の第２方向（＋Ｙ）に移動して前記第１モニタ１１１の一角部に配置される。この場合、前記ガイドバー１４０は、前記ガイドライン１７７に沿って移動して、前記ガイド固定部１７０の正の第２方向（＋Ｙ）の端部に固定される。前記ガイド固定部１７０、前記第１回転部１５０、前記第２回転部１６０、及び前記第２モニタ１２０は、前記第２方向（Ｙ）に沿って一直線に配列される（Ｄ位置）。この場合、前記第２モニタ１２０は前記第１モニタ１１１と一直線に配列されないので、使用者が二つのモニタの視野角の差を大きく認識するようになる。  
【００６９】
しかし、本実施例では第２回転部１６０のみを通じて前記ガイド固定部１７０と第２モニタ１２０が連結されるので、二つのモニタの視野角の差を図３の実施例のように精密に調節することができる。ただし、前記第２回転部１６０を前記第２連結ピン１６１を中心に、即ち、正の第３方向（＋Ｚ）を中心に時計方向に所定角度に回転させて最適の視野角の範囲を有するように前記第２モニタ１２０を配置する（Ｅ位置）。
【００７０】
本実施例による連結部材１３０は回転部を一つのみ用いるので、精密な視野角の調節は難しいが、製作が容易であり、材料費を節減することができる。なお、モニタを薄く製作して前記第１モニタ１１１と第２モニタ１２０との段差を減少させることで視野角を向上させることができるので、視野角の問題を解決することができる。
【００７１】
前記の本発明の第１実施例では、前記第２モニタ１２０の第２スクリーン１２１は前記ガイド固定部１７０に固定されるとき、前記第１モニタ１１１の第１スクリーン１１２と実質的に同一の方向に固定されることを説明した。これとは違って、前記第２モニタ１２０の第２スクリーン１２１は前記ガイド固定部１７０に固定されるとき、前記第１モニタ１１１の第１スクリーン１１２と実質的に反対方向に固定することができる。即ち、前記第１スクリーン１１２が正の第１方向（＋Ｘ）に向く場合、前記第２スクリーン１２１は負の第１方向（−Ｘ）に向くように固定することができる。
【００７２】
前記第２スクリーン１２１が前記第１スクリーンと実質的に反対方向に固定されても、前記第２スクリーン１２１を用いる場合には、前記第２スクリーン１２１を前記第３連結ピン１６５を中心に１８０°回転させて前記第１スクリーン１１２と実質的に同一の方向に向くように位置させることができる。
【００７３】
図５は、本発明の第２実施例による二重モニタを示した拡大斜視図である。
図５を参照すると、本実施例による二重モニタ２００は、第１モニタ２１１、第２モニタ２２０、及び連結部材２３０を含む。
【００７４】
前記第１モニタ２１１は、前記第１実施例の第１モニタ１１１と背面突起２１８を含むことを除いては実質的に同一であるので、重複される説明はこれを省略する。同様に、前記第２モニタ２２０は前記第１実施例の第２モニタ１２０と実質的に同一であるので、重複される説明は省略する。
【００７５】
前記背面突起２１８は前記第１モニタ２１１の第１スクリーン２１２が形成されていない背面の一角中央部に形成される。例えば、前記第１スクリーン２１２が正の第１方向（＋Ｘ）に形成されると、前記背面突起２１８は負の第１方向（−Ｘ）に突出され形成される。前記背面突起２１８は、後述する第１回転部２４０の第１連結溝２４２に挿入される。
【００７６】
本実施例で前記連結部材２３０は第１回転部２４０及び第２回転部２５０を含む。
前記第１回転部２４０は厚さが薄いシリンダー形状を有し、中部部に第１連結溝２４２が形成され、側部に第１連結突起２４３が形成される。前記第１連結溝２４２は、前記背面突起２１８が挿入されるように前記背面突起２１８の直径に対応する直径に形成される。また、前記第１連結溝２４２は、前記背面突起２１８が形成された方向に沿って第１回転部２４０を貫通して形成される。例えば、前記背面突起２１８が負の第１方向（−Ｘ）に形成されると、前記第１連結溝２４２も第１方向（Ｘ）に通じて形成される。
【００７７】
前記背面突起２１８と前記第１連結溝２４２とは、互いに結合された後、前記背面突起２１８を中心に相対的に回転する。この場合、前記背面突起２１８と前記第１連結溝２４２は、無理に挟み合わせて結合されることが望ましく、前記第１回転部２４０が所定の角だけ回転して所定の位置に固定するようにする。
【００７８】
一方、前記第１連結突起２４３は、前記第１連結溝２４２が形成された方向に垂直するように突出して形成される。例えば、図５に示したように、前記第１連結溝２４２が第１方向（Ｘ）に形成されると、前記第１連結突起２４３は、正の第２方向（＋Ｙ）に突出して形成される。
【００７９】
本実施例による前記第１連結突起２４３と前記第２回転部２５０との結合関係、及び前記第２回転部２５０とモニタ突起２２３との結合関係は、前記第１実施例の第１連結突起１５４と前記第２回転部１６０との結合関係、及び前記第２回転部１６０とモニタ突起１２３との結合関係と実質的に同一であるので、重複される説明は省略する。
【００８０】
図６は、図５の二重モニタの第１回転部の動作を示した平面図である。図７は、図５の二重モニタの第２回転部の動作を示す平面図である。
図６及び図７を参照すると、前記第２モニタ２２０を用いない場合、前記第２モニタ２２０は前記第１モニタ２１１の背面に第２スクリーン２２１が前記第１モニタ２１１の背面に向くように固定される（Ｆ位置）。示していないが、前記第１及び第２モニタ（２１１、２２０）は固定のために所定の位置に固定突起を含むことができる。
【００８１】
前記第２モニタ２２０を用いる場合、第２モニタ２２０の固定方法は下記のようである。
まず、前記固定突起（図示せず）を解け、前記第２モニタ２２０を前記背面突起２１８を中心に約１８０°回転させて前記第１モニタ２１１の一角部に位置させる（Ｈ、Ｉ位置）。図６では、前記第２モニタ２２０は、負の第１方向（−Ｘ）を中心に反時計方向に回転されたものを示したが、前記背面突起２１８の形成位置によって時計方向に回転され前記第１モニタ２１１の一角に位置することもできる。この場合、前記第２モニタ１２０は、前記第１モニタ１１１と一直線に配列されないので、使用者が二つのモニタの視野角の差を大きく認識するようになる。
【００８２】
前記第２モニタ２２０を前記第１モニタ２１１の一角に位置させた後、固定部材カバー部２２５から固定部材２２４を引き出して地面に付着し、前記第２モニタ２２０を固定させる。この場合、示していないが、前記背面突起２１８と第１連結溝２４２の固定を固くするために、付加的な固定部材を形成することができる。
【００８３】
本実施例では、第２回転部２５０のみを通じて前記第１回転部２４０と第２モニタ２２０が連結されるので、二つのモニタの視野角の差を図３の実施例のように精密に調節することができない。ただし、前記第２回転部２５０を第２連結ピン２５１を中心に、即ち、正の第３方向（＋Ｚ）を中心に時計方向に所定角度に回転させて最適の視野角の範囲を有するように前記第２モニタ２２０を配置する（Ｊ位置）。
【００８４】
本実施例による連結部材１３０では、細密な視野角の調節は難しいが、簡単な構造で製作が容易であり、材料費を節減することができる。なお、モニタを薄く製作して前記第１モニタ２１１と第２モニタ２２０との段差を減少させることで視野角を向上させることができるので、視野角の問題を解決することができる。これとは違って、前記第１回転部２４０と第２回転部２５０との間に第３回転部（図示せず）を加えて形成することで、図３の実施例のように視野角を精密に調節することができる。
【００８５】
前記の本発明の第２実施例では、前記第２モニタ２２０の第２スクリーン２２１は前記第１モニタ２１１の背面に固定されるとき、前記第１モニタ２１１の第１スクリーン２１２と実質的に同一の方向に固定されることを説明した。これとは違って、前記第２モニタ２２０の第２スクリーン２２１は、前記第１モニタ２１１の背面に固定されるとき、前記第１モニタ２１１の第１スクリーン２１２と実質的に反対方向に固定することができる。即ち、前記第１スクリーン２１２が正の第１方向（＋Ｘ）に向く場合、前記第２スクリーン２２１は負の第１方向（−Ｘ）に向くように固定することができる。
【００８６】
前記第２スクリーン２２１が前記第１スクリーンと実質的に反対方向に固定されても、前記第２スクリーン２２１を用いる場合には、前記第２スクリーン２２１を第２連結ピン２５５を中心に１８０°回転させて前記第１スクリーン２１２と実質的に同一の方向に向くように位置させることができる。
【００８７】
図８は、本発明の第３実施例による二重モニタを示した拡大斜視図である。
本実施例による二重モニタ３００は、第１モニタ３１１、第２モニタ３２０、及び連結部材３３０を含む。
前記第１モニタ３１１は、前記第１及び第２実施例の第１モニタ（１１１、２１１）と側面突起３１８を含むことを除いては実質的に同一であるので、重複される説明は省略する。同様に、前記第２モニタ３２０は、前記第１及び第２実施例の第２モニタ（１２０、２２０）と実質的に同一であるので、重複される説明は省略する。
【００８８】
前記側面突起３１８は、前記第１モニタ３１１の一側面の中央部に形成される。例えば、前記第１スクリーン３１２が正の方向（＋Ｘ）に形成されると、前記側面突起３１８は、正の第２方向（＋Ｙ）に突出して形成される。これとは違って、前記側面突起３１８は負の第２方向（−Ｙ）に突出して形成することができ、正の第３方向（＋Ｚ）に突出して形成することもできる。即ち、前記第２モニタ３２０が配置される方向に形成することができる。一方、前記側面突起３１８は後述する第１回転部３４０の第１連結溝３２４に挿入される。
【００８９】
本実施例で、前記連結部材３３０は、第１回転部３４０、及び第２回転部３５０を含む。
本実施例による前記第１回転部３４０は前記背面突起３８１が第１連結溝３４２に挿入されることを除いては前記第１実施例の第１回転部１５０と実質的に同一の結合関係及び構造を有するので、重複される説明は省略する。同様に、本実施例による前記第２回転部３５０は前記第１実施例の第２回転部１６０と実質的に同一の結合関係及び構造を有するので、重複される説明は省略する。
【００９０】
前記背面突起３１８は、前記第１回転部３４０が回転可能であるように、シリンダー形状を有することが望ましい。前記背面突起３１８の中央には溝３１９が形成され、前記第１回転部３４０の第１連結溝３４２と連結される。
一方、前記背面突起３１８の中央部には溝３１９が形成され、前記第１連結溝３４２の中央部にも溝３４３が形成される。前記背面突起３１８に形成された溝３１９の中心は、前記第１連結溝３４２の中央に形成された溝３４３の中心と一致する。前記背面突起３１８に形成された溝３１９と前記第１連結溝３２４に形成された溝３４３は第１連結ピン３４１を通じて結合される。前記第１連結ピン３４１は前記溝（３１９、３４３）と無理に挟み合わせて結合して、前記第１回転部３４０は所定の角だけ回転した後、所定の位置に固定することができる。
【００９１】
図９及び図１２は、図８の二重モニタの連結部材の動作を示した平面図である。
図９及び図１２を参照すると、前記第１モニタ３２０を用いない場合、前記第２モニタ３２０は前記第１モニタ３１１の背面に前記第２スクリーン３２１が前記第１モニタ３１１の背面に向かいように固定される（Ｋ位置）。示していないが、前記第１モニタ３１１及び前記第２モニタ３２０を固く固定するために、付加的な固定部材（図示せず）を形成してもよい。
【００９２】
前記第２モニタ３２０を用いる場合、第２モニタ３２０の固定方法は下記のようである。
まず、前記第１回転部３４０を前記第１連結ピン３４１を中心に、即ち、正の第３方向（＋Ｚ）を中心に時計方向に約９０°回転させる。そうすると、前記第２モニタ３２０は前記第１モニタ３１１と約９０°の角度をなして配置される（Ｌ位置）。
【００９３】
その後、前記第２回転部３５０を第２連結ピン３５１を中心に、即ち、正の第３方向（＋Ｚ）を中心に時計方向に約９０°回転させる。そうすると、前記第２モニタ３２０は、前記第１モニタ３１１と一列に配置される（Ｍ位置）。前記Ｍ位置で、前記第２モニタ３２０の第２スクリーン３２１は前記第１モニタ３１１の背面、即ち、負の第１方向（−Ｘ）に向っている。
【００９４】
その後、前記第２モニタ３２０を第３連結ピン３５５を中心に約１８０°回転すると、前記第２モニタ３２０の第２スクリーン３２１は、前記第１モニタ３１１の第１スクリーン３１２が向く方向と実質的に同一の方向、即ち、正の第１方向（＋Ｘ）に向くように配置される（Ｎ位置）。
【００９５】
その後、前記第２回転部３５０を前記第２連結ピン３５１を中心に所定の角度を回転させ、最適の視野角範囲を有するように前記第２モニタ３２０を配置することができる。
【００９６】
これとは違って、前記第２回転部３５０を先に回転させた後、前記第１回転部３４０を回転させて最適の視野角の範囲を有する位置に前記第２モニタ３２０を配置させることができる。また、前記第１及び第２回転部（３４０、３５０）を同時に回転させることができる。
一方、図示していないが、前記第２モニタ３２０は、負の第２方向（−Ｙ）または正の第３方向（＋Ｚ）に突出して前記のように動作することができる。
【００９７】
前記本発明の第３実施例では、前記第２モニタ３２０の第２スクリーン３２１が前記第１モニタ３１１の背面に固定されるとき、前記第１モニタ３１１の第１スクリーン３１２と実質的に同一の方向に固定されることを説明した。これとは違って、前記第２モニタ３２０の第２スクリーン３２１が前記第１モニタ３１１の背面に固定されるとき、前記第１モニタ３１１の第１スクリーン３１２と実質的に反対方向に固定することができる。即ち、前記第１スクリーン３１２が正の第１方向（＋Ｘ）に向く場合、前記第２スクリーン３２１は負の第１方向（−Ｘ）に向くように固定することができる。
【００９８】
前記第２スクリーン３２１が前記第１スクリーンと実質的に反対方向に固定されても、前記第２スクリーン３２１を用いる場合には、前記第２スクリーン３２１を前記第３連結ピン３５５を中心に１８０°回転させて前記第１スクリーン３１２と実質的に同一の方向に向くように位置させることができる。
【００９９】
前記のような本発明によると、第２モニタを用いない場合、第１スクリーンと第２スクリーンを同一の方向に重なるように配置させ、別途の保護部材なしに前記第２スクリーンを保護することができる。
【０１００】
また、前記第２モニタを用いる場合、前記第２モニタを前記第１モニタの一角部に容易に配置させることができるので、作業の効率性を増加させることができる。
なお、前記第２モニタを支持することができる固定部材が形成され、前記第１モニタと第２モニタとの間の連結部材の撓いや損傷を防止することができる。
【０１０１】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０１０２】
【図１】本発明の第１実施例による二重モニタを示した拡大斜視図である。
【図２】図１のＩ−Ｉ’に沿って見た断面図である。
【図３】図１の二重モニタの一実施例による連結部材の動作を示した平面図である。
【図４】本発明の第１実施例による二重モニタの他の実施例による連結部材の動作を示した平面図である。
【図５】本発明の第２実施例による二重モニタを示した拡大斜視図である。
【図６】図５の二重モニタの第１回転部の動作を示した平面図である。
【図７】図５の二重モニタの第２回転部の動作を示す平面図である。
【図８】本発明の第３実施例による二重モニタを示した拡大斜視図である。
【図９】図８の二重モニタの連結部材の動作を示す平面図である。
【図１０】図８の二重モニタの連結部材の動作を示す平面図である。
【図１１】図８の二重モニタの連結部材の動作を示す平面図である。
【図１２】図８の二重モニタの連結部材の動作を示す平面図である。
【符号の説明】
【０１０３】
１００、２００、３００    二重モニタ
１１１、２１１、３１１    第１モニタ
１１２、２１２、３１２    第２スクリーン
１２０、２２０、３２０    第２モニタ
１２１、２２１、３２１    第２スクリーン
１２３、２２３、３２３    モニタ突起
１２５、２２５、３２５    固定部材
１３０、２３０、３３０    連結部材
１４０                    ガイドバー
１５０、２４０、３４０    第１回転部
１５１、２５１、３４１    第１連結ピン
１６０、２５０、３５０    第２回転部
１６１、２５５、３５１    第２連結ピン
１６５、３５５            第３連結ピン
１７０                    ガイド固定部
【図１】
2008203810.tif 000003
【図２】
2008203810.tif 000004
【図３】
2008203810.tif 000005
【図４】
2008203810.tif 000006
【図５】
2008203810.tif 000007
【図６】
2008203810.tif 000008
【図７】
2008203810.tif 000009
【図８】
2008203810.tif 000010
【図９】
2008203810.tif 000011
【図１０】
2008203810.tif 000012
【図１１】
2008203810.tif 000013
【図１２】
2008203810.tif 000014